(57)【特許請求の範囲】
【請求項１】
室外の空気を室内へ給気する給気送風手段と、
室内の空気を室外へ排気する排気送風手段と、
前記給気送風手段により生じる給気流が流通する給気風路と前記排気送風手段により生じる排気流が流通する排気風路とを仕切り、前記給気風路と前記排気風路との間で顕熱または全熱を交換する伝熱板を有する熱交換素子と、
前記給気風路の前記熱交換素子より上流側に位置し、前記給気流の圧力を調整する圧力調整手段と、
前記熱交換素子における前記給気風路の入口近傍と前記熱交換素子における前記排気風路の出口近傍との圧力差を検知する差圧検知手段と、
前記差圧検知手段によって検知された圧力差に応じて、前記給気流の圧力を前記圧力調整手段に調整させる制御手段と、
を備えることを特徴とする熱交換形換気装置。
【請求項２】
室外の空気温度を検知する温度検知手段をさらに備え、
前記制御手段は、前記温度検知手段によって検知された温度に基づき前記圧力調整手段に前記給気流の圧力を調整させることを特徴とする請求項１に記載の熱交換形換気装置。
【請求項３】
前記圧力調整手段は、開度を調整できるダンパーであることを特徴とする請求項１または２に記載の熱交換形換気装置。
【請求項４】
前記給気送風手段は、前記給気流の圧力変化によらず風量を一定にする制御機能を備えたことを特徴とする請求項１から３のいずれか一つに記載の熱交換形換気装置。
【発明の詳細な説明】
【技術分野】
【０００１】
本発明は、熱交換素子を用いた熱交換形換気装置に関するものである。
【背景技術】
【０００２】
近年、地球温暖化にともない居住分野の省エネ性が重視されてきた。住宅の消費エネルギーの中では給湯、照明、冷暖房の消費エネルギーが比較的大きいため、これらの消費エネルギーを低減する技術が切に望まれている。
【０００３】
この中で住宅の冷暖房負荷に着目すると、住宅の躯体から逃げる熱（冷房の場合は冷熱）と換気によって逃げる熱がある。住宅の躯体から逃げる熱は、ここ数十年での住宅の断熱、気密性能の大幅な向上により、かなり低減されてきた。一方、換気によって逃げる熱を低減させるには、給気と排気の間で熱交換を行う熱交換形換気装置が有効である。熱交換形換気装置には給気と排気の熱交換を行う部材として熱交換素子が搭載されている。
【０００４】
冷暖房エネルギー低減のニーズは室内外の温度差の大きな寒冷地で特に顕著だが、熱交換形換気装置は外気が低温の場合に熱交換素子内部で霜が発生するために排気風路が目詰まりするという課題があった。これは室内の暖かい湿った空気が冷たい外気によって冷やされて低温になり空気中の水分が凍結するためであり、熱交換素子内部において給気風路の入口と排気風路の出口が伝熱板を介して接している部位の排気風路側で着霜が特に顕著である。
【０００５】
一般的な着霜対策として、寒冷地用の熱交換形換気装置ではヒーターで外気を温めてから熱交換素子に導入したり、熱交換素子が着霜した場合には暖かい室内空気を熱交換形換気装置内部に循環させて霜を溶かしたり（これをデフロストと言う）している。しかしヒーターを使用するとエネルギー消費が大きくなるという課題があり、またデフロストをするとその間は換気ができないといった課題があった。
【０００６】
これらの課題に対して、熱交換形換気装置の給気風量と排気風量の比率を工夫することにより、外気が低温であっても熱交換素子内部の風路が着霜により目詰まりしないようにする検討がなされてきた。
【０００７】
従来のこの種の熱交換形換気装置としては、熱交換素子内部に着霜する場合、暖かい排気風量を増やし冷たい給気風量を減らす制御をするものが知られている（例えば、特許文献１参照）。
【０００８】
以下、その熱交換素子について図１１を参照しながら説明する。
【０００９】
図１１に示すように、熱交換形換気装置１０１は、室外の空気を室内へ給気する給気送風手段１０２と室内の空気を室外へ排気する排気送風手段１０３とを備え、給気送風手段１０２により生じる給気流が流通する給気風路１０４と排気送風手段１０３により生じる排気流が流通する排気風路１０５とを全熱を交換する伝熱板１０６でしきり、１層ずつ交互に構成する熱交換素子１０７を備えている。この熱交換形換気装置１０１には室外の空気温度を測定する温度センサ１０８が設けており、検出された室外温度に応じて、暖かい排気風量を維持したまま冷たい給気風量を低減させ熱交換させることにより、熱交換素子１０７全体の温度を上げることで着霜による目詰まりを抑制するものである。
【先行技術文献】
【特許文献】
【００１０】
【特許文献１】特開２０１５−１３５１９９号公報
【発明の概要】
【発明が解決しようとする課題】
【００１１】
このような従来の熱交換形換気装置は、排気風量を給気風量より多くするため、熱交換素子内部に流れる気流の圧力損失によって排気風路の出口側が給気風路の入口側よりも負圧となり、両風路を隔てる伝熱板が排気風路側へたわむため排気風路の開口面積が狭くなり着霜した排気風路が目詰まりしやすいという課題があった。
【００１２】
そこで本発明は上記従来の課題を解決するものであり、給気風路側の圧力を排気風路側より負圧にすることにより、給気風路と排気風路とを仕切った伝熱板が排気風路側へたわむことを抑制し、排気風路側の開口面積を拡大することにより排気風路の着霜による目詰まりを抑制する熱交換形換気装置を提供することを目的とする。
【課題を解決するための手段】
【００１３】
そしてこの目的を達成するために、本発明は、室外の空気を室内へ給気する給気送風手段と、室内の空気を室外へ排気する排気送風手段と、前記給気送風手段により生じる給気流が流通する給気風路と前記排気送風手段により生じる排気流が流通する排気風路とを顕熱または全熱を交換する伝熱板でしきり、前記給気風路と前記排気風路を１層ずつ交互に積層する熱交換素子を備え、前記熱交換素子より上流側に前記給気流の圧力を調整する圧力調整手段を備えることを特徴とする熱交換形換気装置であって、これにより所期の目的を達成するものである。
【発明の効果】
【００１４】
本発明によれば、室外の空気を室内へ吸気する給気送風手段と、室内の空気を室外へ排気する排気送風手段と、前記給気送風手段により生じる給気流が流通する給気風路と前記排気送風手段により生じる排気流が流通する排気風路とを顕熱または全熱を交換する伝熱板でしきり、前記給気風路と前記排気風路を１層ずつ交互に積層する熱交換素子を備え、前記熱交換素子より上流側に前記給気流の圧力を調整する圧力調整手段を備えるという構成により、前記圧力調整手段によって前記排気風路側の圧力より前記給気風路側の圧力を負圧にすることにより、前記伝熱板が前記排気風路側へたわむことを抑制し、前記排気風路の開口面積を拡大することができるので、着霜による前記排気風路の目詰まりを抑制するという効果を得ることができる。
【図面の簡単な説明】
【００１５】
【図１】本発明の実施の形態１にかかる熱交換形換気装置の設置例を示す概略図
【図２】同熱交換形換気装置の構造を示す概略平面図
【図３】同熱交換形換気装置の全熱交換素子を示す斜視図
【図４】同熱交換形換気装置の全熱交換素子を示す分解斜視図
【図５】同熱交換形換気装置の全熱交換素子の排気風路の着霜場所を平面的に示した概念図
【図６】（ａ）従来の全熱交換素子の排気風路出口を示す断面図、（ｂ）従来の全熱交換素子の排気風路出口に着霜した様子を示す断面図
【図７】同熱交換形換気装置を示す概略平面図
【図８】（ａ）同熱交換形換気装置の全熱交換素子の排気風路出口を示す断面図、（ｂ）同熱交換形換気装置の全熱交換素子の排気風路出口に着霜した様子を示す断面図
【図９】同熱交換形換気装置の熱交換形換気装置を示す概略平面図
【図１０】同熱交換形換気装置の熱交換形換気装置を示す概略平面図
【図１１】従来の全熱交換素子を示す概略平面図
【発明を実施するための形態】
【００１６】
本発明の請求項１記載の熱交換素子は、室外の空気を室内へ給気する給気送風手段と、室内の空気を室外へ排気する排気送風手段と、前記給気送風手段により生じる給気流が流通する給気風路と前記排気送風手段により生じる排気流が流通する排気風路とを顕熱または全熱を交換する伝熱板でしきり、前記給気風路と前記排気風路を１層ずつ交互に積層する熱交換素子を備え、前記熱交換素子より上流側に前記給気流の圧力を調整する圧力調整手段を備えるという構成を有する。これにより、前記圧力調整手段によって前記排気風路側の圧力より前記給気風路側の圧力を負圧にでき、前記伝熱板が前記排気風路側へたわむことを抑制し前記排気風路の開口面積を拡大することができるので、着霜による前記排気風路の目詰まりを抑制するという効果を奏する。
【００１７】
また、室外の空気温度を検知する温度検知手段と、前記温度検知手段によって検知された温度に基づき前記圧力調整手段で前記給気流の圧力を調整する制御手段と、を備える構成としてもよい。これにより、前記温度検知手段が前記熱交換素子の内部で凍結が生じると想定される室外の空気温度を検知したときに、前記圧力調整手段によって前記排気風路側の圧力より前記給気風路側の圧力を負圧にすることができ、伝熱板を前記給気風路側へたわませて前記排気風路の開口面積を拡大することができるため、室外の空気温度に応じて着霜による前記排気風路の目詰まりを抑制する効果を奏する。
【００１８】
また、前記熱交換素子の前記給気風路の入口近傍と前記排気風路の出口近傍との差圧を検知する差圧検知手段を備え、前記制御手段は、前記差圧検知手段によって検知された圧力差に応じて前記圧力調整手段で前記給気流の圧力を調整する構成にしてもよい。前記差圧検知手段で検知した差圧により前記圧力調整手段を調整することによって、前記給気風路や前記排気風路に堆積した汚れによる風路の目詰まりや風路の曲がりや風路長などに起因して生じる風路全体の圧力損失の大小によらず、前記差圧検知手段で検知した差圧に応じて前記熱交換素子において前記排気風路出口側の圧力より前記給気風路入口側の圧力を低く保つことができるので、前記熱交換素子の前記排気風路側の開口面積を拡大し、排気風路の着霜による目詰まりを抑制するという効果を奏する。
【００１９】
また、前記圧力調整手段は、開度を調整できるダンパーである構成としてもよい。これにより、前記熱交換素子の給気風路にかかる圧力を簡便な機構であるダンパーの開度により調整できることで、安価でかつ簡便に前記排気風路を拡大し、着霜による目詰まりを抑制する効果を奏する。
【００２０】
また、前記給気送風手段は、前記給気流の圧力変化によらず風量を一定に制御機能を備えた構成にしてもよい。これにより、前記圧力調整手段で調整した圧力によらず、前記給気送風手段に備えられた風量一定制御機能により一定の換気風量を確保しつつ着霜による目詰まりを抑制した換気運転を実現できるという効果を奏する。
【００２１】
以下、本発明の実施の形態について図面を参照しながら説明する。
【００２２】
（実施の形態１）
図１において、家１の屋内に熱交換形換気装置２が設置されている。
【００２３】
例として日本の冬季を挙げると、屋内の空気（以下、屋内空気１４という）を、黒色矢印のごとく、熱交換形換気装置２を介して屋外に放出する。
【００２４】
また、屋外の空気（以下、屋外空気１５という）は、白色矢印のごとく、熱交換形換気装置２を介して室内にとり入れる。
【００２５】
そして、この熱交換形換気装置２により換気を行うとともに、この換気時に、放出する屋内空気１４の熱を屋外空気１５へと伝達して室内に取り入れることにより、不用な熱の放出を抑制しているのである。
【００２６】
熱交換形換気装置２は、図２に示すように、本体ケース３に熱交換素子である全熱交換素子４を配置し、排気送風手段である排気ファン５を駆動することで、屋内空気１４を内気口６から吸い込み、全熱交換素子４、排気ファン５を経由し、排気口７から屋外へと排出する。
【００２７】
また、給気送風手段である給気ファン８を駆動することで、屋外空気１５を外気口９から吸い込み、全熱交換素子４、給気ファン８を経由し、給気口１０から屋内へと取り入れる構成となっている。
【００２８】
また、全熱交換素子４は、図３、図４に示すように、間隔保持リブ１１に伝熱板１２を装着した成型品１３を所定間隔で積層する構成となっている。すなわち、間隔保持リブにより保持された間隔をあけて成型品１３が積層される。間隔をあけて積層された成型品１３の間隔に屋内空気１４と屋外空気１５を一層ごと交互に流す。屋内空気１４と屋外空気１５とを伝熱板１２を装着した成型品１３を挟んで流すことにより、熱交換および水分の交換を行わせる構造となっている。
【００２９】
ここで、一般的な熱交換素子で着霜するメカニズムについて図５を参照しながら詳細に説明する。図５は一般的な熱交換素子の排気風路２０を平面的に示した概念図である。冬季の場合、屋内空気１４は暖房や人の呼気などから湿気を含んだ状態であり、屋外空気１５は乾燥した状態となっている。伝熱板１２を装着した成型品１３の両面を屋内空気１４と屋外空気１５がそれぞれ流れることで、伝熱板１２を介した熱伝達により、屋内空気１４の熱が屋外空気１５に伝えられる。また、伝熱板１２を介した湿気伝達により、屋内空気１４の水分が屋外空気１５に伝えられる。このとき低温の屋外空気１５によって屋内空気１４の温度が低下し、相対湿度が１００％を超えることで結露が生じる。さらに排気空気の温度が氷点下になると結露が凍結して霜になる。
【００３０】
着霜が生じやすい領域は図５の斜線で示したような領域であり、屋内空気１４が流れる排気風路２０の出口との屋外空気１５が流れる給気風路２１の入口が伝熱板１２を介して接する領域の排気風路２０側である。これは、この領域の屋内空気１４が低温の屋外空気１５と最初に熱交換するため、排気する屋内空気１４の温度低下が最も大きいからである。
【００３１】
さらに、図６（ａ）に示すように、全熱交換素子４の屋外空気１５が流れる給気風路２１に通風させると風路の圧力損失により、給気風路２１の入口側の圧力より出口側の圧力が低くなる。同様に、屋内空気１４が流れる排気風路２０に通風させると、排気風路２０の入口側の圧力より出口側の圧力が低くなる。一般的に給気風路２１の入口側の圧力と排気風路２０の入口側の圧力は、風路の曲がりや風路長による圧力損失によって決まるが、全熱交換素子４内に通風させる圧力損失と比較すると小さいため、給気風路２１の出口側の圧力と排気風路２０の出口側の圧力は低くなる。したがって、屋外空気１５が流れる給気風路２１の入口側の圧力より屋内空気１４が流れる排気風路２０の出口側の圧力が低くなるため、排気風路２０側へ伝熱板１２がたわんで、排気風路２０が狭窄するため、図６（ｂ）に示すように、全熱交換素子４の排気風路２０で着霜が生じると目詰まりしやすくなる。
【００３２】
そこで、本発明では、図７に示すように、熱交換形換気装置２は、本体ケース３内の給気風路２１の全熱交換素子４より上流側に伝熱板１２にかかる圧力を調整するための圧力調整手段であるダンパー１６を備えた構成を有する。
【００３３】
ダンパー１６の開度を小さく調整することにより、ダンパー１６を通過する際の屋外空気１５が流れる給気風路２１の風路が狭められることとなり、給気風路２１の圧力損失が高くなる。これにより、給気される屋外空気１５の風量が下がり、結果として、全熱交換素子４の給気風路２１の入口近傍の圧力が下がる。図８（ａ）に示すように、伝熱板１２の給気風路２１の入口近傍の圧力を下げることで、従来は排気風路２０側へたわむ伝熱板１２を本実施の形態では排気風路２０側へたわみを抑制することができる。。その結果、排気風路２０を拡大することができるため、図８（ｂ）に示すように全熱交換素子４の排気風路２０の着霜による目詰まりを抑制する熱交換形換気装置を提供できる。
【００３４】
ダンパー１６は、通常運転時は開度を全開の状態とし、全熱交換素子４の着霜を抑制したい場合にはダンパー１６の開度を小さく調整する。
【００３５】
また、図９に示すように、室外の空気温度を検知する温度検知手段として温度センサ１７と温度センサ１７によって検知された温度に基づきダンパー１６で全熱交換素子４の給気風路２１入口側の圧力を調整する制御部１８を備える構成としてもよい。これにより、温度センサ１７により検知された室外の空気温度が熱交換素子の内部で凍結が生じると想定される温度の場合のみダンパー１６の開度を小さく調整し、上述したように全熱交換素子４の給気風路２１の入口近傍の圧力を下げて、伝熱板１２を排気風路２０側へたわむことを抑制し、これにより排気風路２０の着霜による目詰まりを抑制する。これにより、熱交換素子の内部で凍結が生じると想定される温度の場合のみダンパー１６の開度を小さく調整することとなるので、ダンパー１６の制御回数を最低限にし、ダンパー１６の消耗を抑制しつつ、全熱交換素子４の排気風路２０の着霜による目詰まりを抑制する効果を奏する。
【００３６】
また、図１０に示すように全熱交換素子４の給気風路２１の入口近傍と排気風路２０の出口近傍との差圧を検知する差圧検知手段として差圧計１９を設け、制御部１８は検知された圧力差に応じてダンパー１６の開度を調整する構成にしてもよい。これにより、全熱交換素子４において、給気風路２１の入口近傍の圧力が排気風路２０の出口近傍の圧力より高いと差圧計１９が検知した場合、ダンパー１６の開度を小さく調整し、上述のように全熱交換素子４の給気風路２１の入口近傍の圧力を下げて伝熱板１２を圧力の低い給気風路２１側へたわませ、これにより排気風路２０の着霜による目詰まりを抑制する。これにより、給気風路２１や排気風路２０に堆積した汚れによる風路の目詰まりや風路の曲がりや風路長から生じる風路の圧力損失の大きさに関係なく、全熱交換素子４の排気風路２０出口側の圧力より給気風路２１入口側の圧力を低く保つことができるので、全熱交換素子４の排気風路２０の開口を拡大し、排気風路２０の着霜による目詰まりを抑制する効果を奏する。
【００３７】
さらに、圧力調整手段として簡便なダンパー１６を用いることで、安価で着霜による目詰まりを抑制する熱交換形換気装置が提供できる。
【００３８】
また、給気ファン８が圧力変化によらず風量一定制御機能を備える構成にしてもよい。これにより、ダンパー１６で調整した給気風路２１の圧力によらず、給気ファン８が備える風量一定制御機能により一定風量を確保した換気運転を実現できるという効果を奏する。
【００３９】
なお、風量を一定に制御するためにはＤＣモータを用いたほうが制御しやすく、消費電力も抑制できる。
【００４０】
なお、本実施の形態では全熱交換素子４を直交型としたが、対向型と直交型を組み合わせた六角形型の熱交換素子（図示せず）にも応用できる。六角形型の熱交換素子の場合もやはり排気風路２０の給気風路２１入口側で最も着霜が起きやすいため、熱交換素子の伝熱板１２の給気風路２１側にかかる圧力を負圧にすることで、排気風路２０を拡大し排気風路２０の着霜による目詰まりすることを抑制することができる。
【００４１】
なお、本実施の形態では熱交換素子として、温度と湿度を交換できる全熱交換素子４を例示したが、温度のみ交換できる顕熱交換素子でもよい。
【産業上の利用可能性】
【００４２】
本発明にかかる熱交換素子とそれを用いた熱交換形換気装置は、伝熱手段の種類によらず着霜による目詰まりを効果的に抑制することを可能とするものであるので、熱交換素子とそれを用いた熱交換形換気装置等として有用である。
【符号の説明】
【００４３】
１    家
２    熱交換形換気装置
３    本体ケース
４    全熱交換素子
５    排気ファン
６    内気口
７    排気口
８    給気ファン
９    外気口
１０    給気口
１１    間隔保持リブ
１２    伝熱板
１３    成型品
１４    屋内空気
１５    屋外空気
１６    ダンパー
１７    温度センサ
１８    制御部
１９    差圧計
２０    排気風路
２１    給気風路
１０１    熱交換形換気装置
１０２    給気送風手段
１０３    排気送風手段
１０４    給気風路
１０５    排気風路
１０６    伝熱板
１０７    熱交換素子
１０８    温度センサ
【図１】
0006561313.tif 000002
【図２】
0006561313.tif 000003
【図３】
0006561313.tif 000004
【図４】
0006561313.tif 000005
【図５】
0006561313.tif 000006
【図６】
0006561313.tif 000007
【図７】
0006561313.tif 000008
【図８】
0006561313.tif 000009
【図９】
0006561313.tif 000010
【図１０】
0006561313.tif 000011
【図１１】
0006561313.tif 000012